(57)【特許請求の範囲】
【請求項１】
ケーブルを固定する第一固定部を有する第一ケーブル固定部材と、前記ケーブルを固定する第二固定部を有するとともに、第一ケーブル固定部材に移動可能に保持される第二ケーブル固定部材とを備え、前記ケーブルを収納するケーブル収納装置において、
互いに離れて配置され、前記ケーブルに対して挟み込むように接触する一対の接触部を有するとともに、前記第二ケーブル固定部材に回転可能に保持される接触ユニットと、
前記ケーブルに加わる張力及び曲げが前記ケーブルの許容範囲以内であるように、前記第一ケーブル固定部材に対する前記第二ケーブル固定部材の移動に応じて前記接触ユニットを回転させる回転手段とを備えたことを特徴とするケーブル収納装置。
【請求項２】
前記回転手段が、前記第一ケーブル固定部材に移動可能に保持される回転軸と、前記接触ユニットに固定される固定部とを有することを特徴とする請求項１に記載のケーブル収納装置。
【請求項３】
前記接触部のうち前記ケーブルと接触する部分の曲率半径が、前記ケーブルに加わる曲げの許容範囲以内であることを特徴とする請求項１又は２に記載のケーブル収納装置。
【請求項４】
前記接触部が滑車であることを特徴とする請求項１〜３の何れかに記載のケーブル収納装置。
【請求項５】
前記第一固定部及び前記第二固定部の少なくとも一方が、ケーブルを巻き取る巻取り部であることを特徴とする請求項１〜４の何れかに記載のケーブル収納装置。
【請求項６】
前記ケーブルとして光ファイバケーブルを収納することを特徴とする請求項１〜５の何れかに記載のケーブル収納装置。
【請求項７】
ラックに収納された電子機器の上部又は下部に、前記第二ケーブル固定部材が前記第一ケーブル固定部材に対して前記電子機器の前面側又は背面側に移動可能であるように、配置されることを特徴とする請求項１〜６の何れかに記載のケーブル収納装置。
【発明の詳細な説明】
【０００１】
【発明の属する技術分野】
本発明は、光ファイバケーブルなどのケーブルを収納するケーブル収納装置に関するものである。
【０００２】
【従来の技術】
従来、ケーブル収納装置として、図８〜図１０に示すような光ファイバケーブル収納装置９６０が知られている。
【０００３】
図８において、床９００に設置されているラック９１０には、通信機器９５０や様々な電子機器９２１〜９２６が収納されており、通信機器９５０には、前面９５０ａ側に光ファイバケーブル９３１〜９３５の一端部９３１ａ〜９３５ａが接続されている。また、光ファイバケーブル９３１〜９３５の他端部９３１ｂ〜９３５ｂは、中継端子９１１〜９１５に接続されており、光ファイバケーブル９３１〜９３５は、一部を通信機器９５０の下部に設置された光ファイバケーブル収納装置９６０に収納されて不要な長さを吸収されている。より詳細に説明すると、光ファイバケーブル収納装置９６０は、図９（ａ）〜図９（ｃ）に示すように、固定ベース９６１の固定部９６１ａと、スライドベース９６２の固定部９６２ａとに光ファイバケーブル９３１〜９３５を固定するとともに、スライドベース９６２の巻取り部９６２ｂに光ファイバケーブル９３１〜９３５を巻き取ることによって、光ファイバケーブル９３１〜９３５を収納するとともに、光ファイバケーブル９３１〜９３５の不要な長さを吸収している。したがって、外部からの信号は、外部と接続している光ファイバケーブル９４１〜９４５、中継端子９１１〜９１５及び光ファイバケーブル９３１〜９３５を介して、通信機器９５０に入力され、通信機器９５０からの信号は、光ファイバケーブル９３１〜９３５、中継端子９１１〜９１５及び光ファイバケーブル９４１〜９４５を介して、外部に出力されるようになっていた。
【０００４】
ここで、光ファイバケーブル収納装置９６０は、光ファイバケーブル９３１〜９３５のメンテナンス等の際は、図８に示す状態から、図１０に示すように固定ベース９６１からスライドベース９６２が引き出された状態に変更される。より詳細に説明すると、光ファイバケーブル収納装置９６０は、光ファイバケーブル９３１〜９３５にメンテナンス等が行われるとき以外は、図９（ａ）に示すように、固定ベース９６１にスライドベース９６２を収納するようになっており、光ファイバケーブル９３１〜９３５にメンテナンス等が行われるときは、図９（ａ）に示す状態から図９（ｂ）に示す状態を経た後、図９（ｃ）に示すように、固定ベース９６１からスライドベース９６２が引き出されることによって、光ファイバケーブル９３１〜９３５にメンテナンス等が行われ易い状態になっていた。
【０００５】
なお、以上においては、光ファイバケーブル収納装置９６０が通信機器９５０の下部に設置されている場合について説明したが、光ファイバケーブル収納装置９６０は、通信機器９５０の上部に設置されていても、通信機器９５０の下部に設置されている場合と同様に作用していた。
【０００６】
【発明が解決しようとする課題】
しかしながら、上記従来の光ファイバケーブル収納装置９６０においては、固定ベース９６１の固定部９６１ａと、スライドベース９６２の固定部９６２ａとの間の光ファイバケーブル９３１〜９３５のたるみを適切に調整することが困難であるため、固定ベース９６１からスライドベース９６２が引き出される際に、光ファイバケーブル９３１〜９３５に加わる張力が光ファイバケーブル９３１〜９３５の許容範囲を越えてしまったり、固定ベース９６１にスライドベース９６２が収納される際に、光ファイバケーブル９３１〜９３５に加わる曲げが光ファイバケーブル９３１〜９３５の許容範囲を越えてしまったりして、光ファイバケーブル９３１〜９３５を破損してしまうという問題があった。
【０００７】
また、従来、ラック９１０に光ファイバケーブル収納装置９６０を設けないで光ファイバケーブル９３１〜９３５の不要な長さを吸収する方法として、電子機器９２１又は電子機器９２２が収納されている部分に、光ファイバケーブル９３１〜９３５を収納したとき作業者が手を入れて十分に光ファイバケーブル９３１〜９３５をメンテナンスすることが可能である収納スペースを設け、この収納スペースに光ファイバケーブル９３１〜９３５の一部を収納することによって、光ファイバケーブル９３１〜９３５の不要な長さを吸収する方法が知られている。しかしながら、この方法では、光ファイバケーブルが接続される電子機器をラック内に収納するときに、作業者が手を入れて十分に光ファイバケーブルをメンテナンスすることが可能な光ファイバケーブルの収納スペースを必ず確保しなければならないという問題があった。
【０００８】
そこで、本発明は、省スペースで且つケーブルの破損を防止することが可能なケーブル収納装置を提供することを目的とする。
【０００９】
【課題を解決するための手段】
上記課題を解決するために、本発明のケーブル収納装置は、ケーブルを固定する第一固定部を有する第一ケーブル固定部材と、前記ケーブルを固定する第二固定部を有するとともに、第一ケーブル固定部材に移動可能に保持される第二ケーブル固定部材とを備え、前記ケーブルを収納するケーブル収納装置において、互いに離れて配置され、前記ケーブルに対して挟み込むように接触する一対の接触部を有するとともに、前記第二ケーブル固定部材に回転可能に保持される接触ユニットと、前記ケーブルに加わる張力及び曲げが前記ケーブルの許容範囲以内であるように、前記第一ケーブル固定部材に対する前記第二ケーブル固定部材の移動に応じて前記接触ユニットを回転させる回転手段とを備えたことを特徴とするものである。この構成により、本発明のケーブル収納装置は、第一固定部と第二固定部との間のケーブルのたるみを適切に調整することが可能であり、ケーブルに加わる張力及び曲げをケーブルの許容範囲以内に抑えることが可能であるので、ケーブルの破損を防止することが可能である。
【００１０】
また、本発明のケーブル収納装置は、前記回転手段が、前記第一ケーブル固定部材に移動可能に保持される回転軸と、前記接触ユニットに固定される固定部とを有することを特徴とするものである。この構成により、本発明のケーブル収納装置は、比較的簡単な構成で、第一固定部と第二固定部との間のケーブルのたるみを適切に調整することが可能である。
【００１１】
また、本発明のケーブル収納装置は、前記接触部のうち前記ケーブルと接触する部分の曲率半径が、前記ケーブルに加わる曲げの許容範囲以内であることを特徴とするものである。この構成により、本発明のケーブル収納装置は、接触部においてケーブルに加わる曲げを、より確実にケーブルの許容範囲以内に抑えることが可能であるので、ケーブルの破損を防止することが可能である。
【００１２】
また、本発明のケーブル収納装置は、前記接触部が滑車であることを特徴とするものである。この構成により、本発明のケーブル収納装置は、ケーブルに加わる張力を、より確実にケーブルの許容範囲以内に抑えることが可能であるので、ケーブルの破損を防止することが可能である。
【００１３】
また、本発明のケーブル収納装置は、前記第一固定部及び前記第二固定部の少なくとも一方が、ケーブルを巻き取る巻取り部であることを特徴とするものである。この構成により、本発明のケーブル収納装置は、第一固定部及び第二固定部の少なくとも一方において、ケーブルに加わる曲げをより確実にケーブルの許容範囲以内に抑えることが可能である。また、本発明のケーブル収納装置は、第一ケーブル固定部材に対する第二ケーブル固定部材の引き出しに連動するケーブルの巻取り部を備えており、第一ケーブル固定部材に対して第二ケーブル固定部材を引き出した状態でケーブルにメンテナンス等の処理が行われるので、高さ方向のスペースを最小限に抑えることが可能であり、効率的にケーブルの処理が行われる。
【００１４】
また、本発明のケーブル収納装置は、前記ケーブルとして光ファイバケーブルを収納することを特徴とするものである。光ファイバケーブルは、通信機器に多用されるケーブルの中でも張力及び曲げの許容範囲が狭いので、本発明のケーブル収納装置は、光ファイバケーブルの収納に特に適している。
【００１５】
また、本発明のケーブル収納装置は、ラックに収納された電子機器の上部又は下部に、前記第二ケーブル固定部材が前記第一ケーブル固定部材に対して前記電子機器の前面側又は背面側に移動可能であるように、配置されることを特徴とするものである。この構成により、本発明のケーブル収納装置は、高さ方向のスペースを最小限に抑えることが可能である。
【００１６】
【発明の実施の形態】
以下、本発明の好ましい一実施の形態を、図面に基づいて説明する。
【００１７】
まず、本実施の形態に係るケーブル収納装置の構成について説明する。
【００１８】
図１及び図２において、床１００に設置されているラック１１０には、通信機器１５０や様々な電子機器１２１〜１２６が収納されており、通信機器１５０には、前面１５０ａ側にケーブルとしての光ファイバケーブル１３１〜１３５の一端部１３１ａ〜１３５ａが接続されている。また、光ファイバケーブル１３１〜１３５の他端部１３１ｂ〜１３５ｂは、中継端子１１１〜１１５に接続されており、光ファイバケーブル１３１〜１３５は、一部を通信機器１５０の下部に設置されたケーブル収納装置としての光ファイバケーブル収納装置２００に収納されて不要な長さを吸収されている。
【００１９】
ここで、外部からの信号は、外部と接続している光ファイバケーブル１４１〜１４５、中継端子１１１〜１１５及び光ファイバケーブル１３１〜１３５を介して、通信機器１５０に入力され、通信機器１５０からの信号は、光ファイバケーブル１３１〜１３５、中継端子１１１〜１１５及び光ファイバケーブル１４１〜１４５を介して、外部に出力されるようになっている。
【００２０】
光ファイバケーブル収納装置２００は、図３及び図４に示すように、光ファイバケーブル１３１〜１３５を固定する第一固定部としての固定部２１１を有する第一ケーブル固定部材としての固定ベース２１０と、光ファイバケーブル１３１〜１３５を固定する第二固定部としての固定部２２１、及び、光ファイバケーブル１３１〜１３５を巻き取る巻取り部２２２を有するとともに、レールガイド２１２及びレールガイド２１３とレール２２３及びレール２２４とを介して固定ベース２１０に移動可能に保持される第二ケーブル固定部材としてのスライドベース２２０とを備えている。
【００２１】
また、光ファイバケーブル収納装置２００は、光ファイバケーブル１３１〜１３５に対して挟み込むように接触する互いに離れて配置された一対の接触部としての滑車２３１及び滑車２３２を有するとともに、スライドベース２２０に回転軸２３０ａを中心にして回転可能に保持される接触ユニットとしての滑車ユニット２３０と、光ファイバケーブル１３１〜１３５に加わる張力及び曲げが光ファイバケーブル１３１〜１３５の許容範囲以内であるように、固定ベース２１０に対するスライドベース２２０の移動に応じて滑車ユニット２３０を回転させる回転手段としての可動レバー２４０とを備えている。可動レバー２４０は、固定ベース２１０に形成される長溝２１０ａに挿入されることによって、固定ベース２１０に移動可能に保持される回転軸２４１と、滑車ユニット２３０に固定される固定部２４２とを有している。
【００２２】
ここで、本実施の形態において、光ファイバケーブル１３１〜１３５に加わる曲げの許容範囲は、曲率半径で４０ｍｍ以上になっており、滑車２３１及び滑車２３２の光ファイバケーブル１３１〜１３５と接触する部分の曲率半径、即ち、滑車２３１及び滑車２３２の半径は、光ファイバケーブル１３１〜１３５に加わる曲げの許容範囲以内、即ち、４０ｍｍ以上になっている。
【００２３】
また、滑車ユニット２３０の形状、大きさ、及び、スライドベース２２０に対する配置等は、光ファイバケーブル１３１〜１３５に加わる張力及び曲げが光ファイバケーブル１３１〜１３５の許容範囲以内になるように設定されている。
【００２４】
次に、本実施の形態に係るケーブル収納装置の作用効果について説明する。
【００２５】
光ファイバケーブル収納装置２００は、光ファイバケーブル１３１〜１３５のメンテナンス等の際は、図２に示す状態から、図５に示すように固定ベース２１０からスライドベース２２０が引き出された状態に変更される。より詳細に説明すると、光ファイバケーブル収納装置２００は、光ファイバケーブル１３１〜１３５にメンテナンス等が行われるとき以外は、図４（ａ）に示すように、固定ベース２１０にスライドベース２２０を収納し、光ファイバケーブル１３１〜１３５にメンテナンス等が行われるときは、図４（ａ）に示す状態から図４（ｂ）に示す状態を経た後、図４（ｃ）に示すように、固定ベース２１０からスライドベース２２０が引き出されることによって、光ファイバケーブル１３１〜１３５にメンテナンス等が行われ易い状態になる。
【００２６】
ここで、光ファイバケーブル収納装置２００は、滑車ユニット２３０及び可動レバー２４０を備えているので、図４（ａ）〜図４（ｃ）に示すように、固定部２１１と固定部２２１との間の光ファイバケーブル１３１〜１３５のたるみを適切に調整することが可能である。したがって、光ファイバケーブル収納装置２００は、光ファイバケーブル１３１〜１３５に加わる張力及び曲げを、光ファイバケーブル１３１〜１３５の許容範囲以内に抑えることが可能であり、光ファイバケーブル１３１〜１３５の破損を防止することが可能である。
【００２７】
また、光ファイバケーブル収納装置２００は、ラック１１０に収納された通信機器１５０の下部に、スライドベース２２０が固定ベース２１０に対して通信機器１５０の背面側に移動可能であるように、配置されているので、作業者が固定ベース２１０に対してスライドベース２２０を引き出した状態で光ファイバケーブル１３１〜１３５にメンテナンス等の処理を行うことができる。換言すると、光ファイバケーブル収納装置２００は、高さ方向のスペースを最小限に抑えることが可能であり、作業者によって効率的にケーブルの処理が行われる。
【００２８】
また、本実施の形態においては、回転手段として可動レバー２４０を用いていたが、本発明によれば、回転手段は、光ファイバケーブル１３１〜１３５に加わる張力及び曲げが光ファイバケーブル１３１〜１３５の許容範囲以内であるように、固定ベース２１０に対するスライドベース２２０の移動に応じて滑車ユニット２３０を回転させることが可能であれば、可動レバー２４０以外の構成であっても良い。
【００２９】
また、光ファイバケーブル収納装置２００は、滑車２３１及び滑車２３２の半径が、光ファイバケーブル１３１〜１３５に加わる曲げの許容範囲以内であるように設定されていたので、滑車２３１及び滑車２３２に接触している光ファイバケーブル１３１〜１３５に加わる曲げを、より確実に光ファイバケーブル１３１〜１３５の許容範囲以内に抑えることが可能である。
【００３０】
また、本実施の形態においては、接触部として滑車２３１及び滑車２３２を用いていたので、光ファイバケーブル１３１〜１３５に加わる張力を、より確実に光ファイバケーブル１３１〜１３５の許容範囲以内に抑えることが可能であったが、本発明によれば、接触部は、滑車２３１及び滑車２３２のように回転する構成でなくても良い。
【００３１】
また、本実施の形態においては、第一固定部として固定部２１１を、第二固定部として固定部２２１を備えていたが、本発明によれば、第一固定部又は第二固定部として、光ファイバケーブル１３１〜１３５を巻き取る巻取り部を用いても良い。例えば、光ファイバケーブル収納装置２００は、図６及び図７に示すように、第二固定部として、固定部２２１の替わりに直接巻取り部２２２を用いるようにすれば、第二固定部において光ファイバケーブル１３１〜１３５に加わる曲げを、より確実に光ファイバケーブル１３１〜１３５の許容範囲以内に抑えることが可能である。
【００３２】
また、本発明のケーブル収納装置は、通信機器に多用されるケーブルの中でも張力及び曲げの許容範囲が狭い光ファイバケーブルの収納に特に適しているので、本実施の形態においては、光ファイバケーブルを収納する光ファイバケーブル収納装置２００について説明したが、本発明のケーブル収納装置は、光ファイバケーブル以外のケーブルを収納する構成であっても良い。
【００３３】
【発明の効果】
以上説明したように、本発明によれば、ケーブルの破損を防止することが可能な省スペースのケーブル収納装置を提供することができる。
【図面の簡単な説明】
【図１】本発明の一実施の形態に係るケーブル収納装置を収納するラックの正面図
【図２】ケーブル収納装置の固定ベースにスライドベースが収納された状態での図１に示すラックの側面図
【図３】本発明の一実施の形態に係るケーブル収納装置の分解斜視図
【図４】（ａ）固定ベースにスライドベースが収納された状態での図３に示すケーブル収納装置の斜視図
（ｂ）固定ベースからスライドベースが引き出され始めた状態での図３に示すケーブル収納装置の斜視図
（ｃ）固定ベースからスライドベースが完全に引き出された状態での図３に示すケーブル収納装置の斜視図
【図５】ケーブル収納装置の固定ベースからスライドベースが完全に引き出された状態での図１に示すラックの側面図
【図６】固定ベースにスライドベースが収納された状態での図３及び図４に示す態様とは異なる態様のケーブル収納装置の平面図
【図７】固定ベースからスライドベースが完全に引き出された状態での図６に示すケーブル収納装置の平面図
【図８】従来のケーブル収納装置の固定ベースにスライドベースが収納された状態でのラックの側面図
【図９】（ａ）固定ベースにスライドベースが収納された状態での従来のケーブル収納装置の斜視図
（ｂ）固定ベースからスライドベースが引き出され始めた状態での従来のケーブル収納装置の斜視図
（ｃ）固定ベースからスライドベースが完全に引き出された状態での従来のケーブル収納装置の斜視図
【図１０】従来のケーブル収納装置の固定ベースからスライドベースが完全に引き出された状態での図８に示すラックの側面図
【符号の説明】
１３１〜１３５      光ファイバケーブル（ケーブル）
２１１      固定部（第一固定部）
２１０      固定ベース（第一ケーブル固定部材）
２２１      固定部（第二固定部）
２２０      スライドベース（第二ケーブル固定部材）
２００      光ファイバケーブル収納装置（ケーブル収納装置）
２３１、２３２      滑車（接触部）
２３０      滑車ユニット（接触ユニット）
２４０      可動レバー（回転手段）
２４１      回転軸
２４２      固定部
２２２      巻取り部
１１０      ラック
１５０      通信機器（電子機器）
【図１】
0004406167.tif 000002
【図２】
0004406167.tif 000003
【図３】
0004406167.tif 000004
【図４】
0004406167.tif 000005
【図５】
0004406167.tif 000006
【図６】
0004406167.tif 000007
【図７】
0004406167.tif 000008
【図８】
0004406167.tif 000009
【図９】
0004406167.tif 000010
【図１０】
0004406167.tif 000011